(57)【要約】【課題】端末装置の表示画面を適切に読み取ることができるスキャナー装置及び画像形成装置を提供する。【解決手段】原稿台に載置された対象物からの光を検出する光検出部と、前記光検出部の検出結果に基づいて、前記対象物の読み取り感度を調整する制御部と、を有する、スキャナー装置を採用する。【選択図】図３
2014116915.tif 000002
【特許請求の範囲】
【請求項１】
原稿台に載置された対象物からの光を検出する光検出部と、
前記光検出部の検出結果に基づいて、前記対象物の読み取り感度を調整する制御部と、を有する、ことを特徴とするスキャナー装置。
【請求項２】
原稿台に載置された対象物を照明する光源を有しており、
前記制御部は、前記光検出部の検出結果に基づいて、前記光源の明るさを調整して、前記対象物の読み取り感度を調整する、ことを特徴とする請求項１に記載のスキャナー装置。
【請求項３】
所定の画像を表示する表示部と、
前記表示部の表示画面上で為された操作に応じた操作信号を出力する操作部と、
自発光する対象物の読み取り条件を含む複数の読み取り条件を予め記憶している記憶部と、を有しており、
前記制御部は、前記光検出部の検出の前に、前記表示画面上に前記複数の読み取り条件を選択させるためのボタンを表示させて、そのボタンの操作信号が前記自発光する対象物の読み取り条件に対応するものであって、且つ、前記光検出部の検出の結果、光が検出されなかった場合、前記選択された読み取り条件のときよりも、前記光源を明るく調整する、ことを特徴とする請求項２に記載のスキャナー装置。
【請求項４】
前記制御部は、前記光検出部が検出を行うときに、前記光源を消灯させる、ことを特徴とする請求項１〜３のいずれか一項に記載のスキャナー装置。
【請求項５】
前記光検出部は、原稿台に入射する外部入射光を非検出とする光学フィルターを有する、ことを特徴とする請求項１〜４のいずれか一項に記載のスキャナー装置。
【請求項６】
請求項１〜５のいずれか一項に記載のスキャナー装置を有する、ことを特徴とする画像形成装置。
【発明の詳細な説明】
【技術分野】
【０００１】
本発明は、スキャナー装置及び画像形成装置に関するものである。
【背景技術】
【０００２】
近年の情報技術の発展により、携帯電話やタッチパネル式のタブレット装置、その他の端末装置が、一般ユーザーに普及してきている。これら端末装置は、画像を表示する液晶画面等の表示部を備えており、ユーザーは、表示部に表示された画像から、所望の情報を入手することができるようになっている。
【０００３】
ところで、他のユーザーにも当該情報を閲覧させようとする場合には、通常、そのユーザーの端末装置に画像データを送信することとなるが、そのユーザーが端末装置を携帯していない、あるいは、周囲に通信環境が構築されていない場合もある。このような場合には、その端末装置に表示された画像を直接スキャナー装置に読み取らせ、その画像をコピー機等で複写したものを配布等することが考えられる。
そして、このような機会は、端末装置の普及により益々増えていくことが予想される。
【０００４】
下記特許文献１には、情報端末機の画面を読み取る画像読み取り手段を備えるファクシミリ装置が開示されている。このファクシミリ装置は、テンキーによることなく正確にファクシミリ番号の入力を行うことができるようにするべく、情報端末機の画面に予め記憶していたファクシミリ番号を表示させ、その画面をスキャナーで直接読み取らせ、その画像からＯＣＲ（Optical Character Reader）等の文字認識手段を用いて数字列を認識するようになっている。
【先行技術文献】
【特許文献】
【０００５】
【特許文献１】特開２００８−１１３０８３号公報
【発明の概要】
【発明が解決しようとする課題】
【０００６】
しかしながら、上記従来技術には、次のような問題がある。
上記従来技術は、携帯電話の画面に表示されたファクシミリ番号や文字等の簡単な情報を認識するものであるが、近年登場してきた端末装置は画面が大きく、その画面に表示される情報も色の付いたグラフや図形等のように情報量の多いものとなっている。また、この端末装置は、液晶のバックライトや有機ＥＬ（Electro Luminescence）等を備え、表示部の点灯／消灯が可能であり、スキャナー装置で適切に読み取るためには、その都度適切な読み取り条件の設定が必要となってきている。
【０００７】
本発明は、上記問題点に鑑みてなされたものであり、端末装置の表示画面を適切に読み取ることができるスキャナー装置及び画像形成装置を提供することを目的とする。
【課題を解決するための手段】
【０００８】
上記の課題を解決するために、本発明は、原稿台に載置された対象物からの光を検出する光検出部と、前記光検出部の検出結果に基づいて、前記対象物の読み取り感度を調整する制御部と、を有する、スキャナー装置を採用する。
この構成を採用することによって、本発明では、光検出部が原稿台に載置された対象物の光を検出したときは、その対象物が自発光（液晶のバックライトや有機ＥＬ（Electro Luminescence）等の発光）する端末装置であると判断し、対象物の読み取り感度を自動的に調整する。したがって、端末装置の表示画面に表示された図形等を適切に読み取ることができる。
【０００９】
また、本発明では、原稿台に載置された対象物を照明する光源を有しており、前記制御部は、前記光検出部の検出結果に基づいて、前記光源の明るさを調整して、前記対象物の読み取り感度を調整する、という構成を採用する。
この構成を採用することによって、本発明では、原稿台に載置された対象物から光を検出したか否かによって、対象物の照明条件を調整することにより読み取り感度を調整することで、対象物を適切に読み取ることができる。
【００１０】
また、本発明では、所定の画像を表示する表示部と、前記表示部の表示画面上で為された操作に応じた操作信号を出力する操作部と、自発光する対象物の読み取り条件を含む複数の読み取り条件を予め記憶している記憶部と、を有しており、前記制御部は、前記光検出部の検出の前に、前記表示画面上に前記複数の読み取り条件を選択させるためのボタンを表示させて、そのボタンの操作信号が、前記自発光する対象物の読み取り条件に対応するものであって、前記光検出部の検出の結果、光が検出されなかった場合、前記選択された読み取り条件のときよりも、前記光源を明るく調整する、という構成を採用する。
この構成を採用することによって、本発明では、液晶画面等を有し自発光する対象物の読み取り条件が選択されて、バックライト等が消灯されていて光検出がされなかった場合には、照明を初期設定（バックライト等有り）よりもさらに明るくすることで、対象物を適切に読み取ることができる。
【００１１】
また、本発明では、前記制御部は、前記光検出部が検出を行うときに、前記光源を消灯させる、という構成を採用する。
この構成を採用することによって、本発明では、原稿台に載置された対象物が自発光するものであるか否かを判断する際に対象物を照明する光源を消灯することにより、光検出部は対象物が発する微小な光を検出できるようになるため、光検出精度を向上させることができる。
【００１２】
また、本発明では、前記光検出部は、原稿台に入射する外部入射光を非検出とする光学フィルターを有する、という構成を採用する。
この構成を採用することによって、本発明では、対象物が厚みのある端末装置であって原稿押さえ等を閉めることができない場合に原稿台に入射してくる外部入射光を光学フィルターで透過させないようにして排除することで、光検出部は原稿台に載置された対象物からの光のみを検出できるようになるため、光検出精度を向上させることができる。
【００１３】
また、本発明では、先に記載のスキャナー装置を有する、画像形成装置を採用する。
この構成を採用することによって、本発明では、端末装置の表示画面を適切に読み取って、その読み取り画像を印刷用紙等に印刷することができる。
【発明の効果】
【００１４】
本発明によれば、端末装置の表示画面を適切に読み取ることができるスキャナー装置及び画像形成装置が得られる。
【図面の簡単な説明】
【００１５】
【図１】本発明の実施形態における複合機の要部構成を示す正面透視図である。
【図２】本発明の実施形態における複合機の機能ブロック図である。
【図３】本発明の実施形態における複合機の動作（特にスキャナー部における各種処理のシーケンス）を示すフローチャートである。
【図４】本発明の実施形態における待機画面を示す図である。
【図５】本発明の実施形態における原稿台に読み取り対象物として端末装置を載置した状態を示す図である。
【図６】本発明の実施形態における表示画面スキャンモードの読み取り条件の設定選択画面を示す図である。
【図７】本発明の実施形態における表示画面スキャンモードの読み取り条件の原稿サイズの選択画面を示す図である。
【図８】本発明の実施形態における表示画面スキャンモードでバックライト無しの端末装置の液晶画面を「バックライト有り」の照明条件で読み取った画像と、「バックライト無し」の照明条件で読み取った画像を示すイメージ図である。
【発明を実施するための形態】
【００１６】
以下、図面を参照しながら、本発明の一実施形態について説明する。なお、以下では、本発明に係るスキャナー装置を備える画像形成装置として、コピー機、プリンター及びファクシミリ等の機能を併せ持つ複合機を例示して説明する。
図１は、本発明の実施形態における複合機１の要部構成を示す正面透視図である。図２は、本発明の実施形態における複合機１の機能ブロック図である。これらの図に示すように、複合機１は、印刷部１０と、スキャナー部（スキャナー装置）２０と、ＧＵＩ(Graphical User Interface)３０と、通信部４０と、制御部５０及び記憶部５１とを備えている。
【００１７】
印刷部１０は、制御部５０による制御の下、印刷用紙に画像を印刷して印刷物として出力するものであり、給紙部１１、トナー画像形成部１２、定着部１３及び排紙トレイ１４等を備えている。給紙部１１は、定型の印刷用紙を複数枚（例えば、数十枚程度）収容可能であると共に、複合機１の正面から引出し可能な給紙カセット１１ａを複数備えている。給紙カセット１１ａの各々に収容された印刷用紙のうちの最上位の印刷用紙は、ピックアップローラー１１ｂの駆動によって繰り出されてトナー画像形成部１２へ搬送される。
【００１８】
トナー画像形成部１２は、印刷すべき画像に応じたトナー画像を印刷用紙に形成するものであり、感光体ドラム１２ａ、露光部１２ｂ、現像部１２ｃ及び転写部１２ｄ等を備えている。感光体ドラム１２ａは、印刷すべき画像に応じた静電潜像が形成されると共に、現像されたトナー画像を担持する円筒形の感光体である。露光部１２ｂは、感光体ドラム１２ａの表面に静電潜像を形成するためのレーザー光を感光体ドラム１２ａに照射する。現像部１２ｃは、静電潜像が形成された感光体ドラム１２ａにトナーを供給することにより、静電潜像を現像してトナー画像にする。転写部１２ｄは、感光体ドラム１２ａに担持されているトナー画像を、給紙部１１から搬送されてきた印刷用紙に転写する。
【００１９】
定着部１３は、トナー画像形成部１２によって印刷用紙に転写（形成）されたトナー画像を加熱及び加圧して印刷用紙に定着させた後、当該定着処理後の印刷用紙を所望の画像が印刷された印刷物として排紙トレイ１４へ排出（出力）する。排紙トレイ１４は、定着部１３から出力される印刷物を溜め置きするための部位であり、印刷部１０の上部に設けられている。
【００２０】
スキャナー部２０は、制御部５０による制御の下、ユーザーにセットされた原稿等（対象物）を読み取り、その原稿の画像を示す原稿画像データを生成して制御部５０に出力するものであり、ＡＤＦ（自動原稿送り装置）２１、キャリッジ２２、原稿台２３及び原稿読取スリット２４等を備えている。ＡＤＦ２１は、読み取りを行うべき原稿を順次自動給紙する装置である。キャリッジ２２は、露光ランプ（光源）２２ａ及びＣＣＤ（Charge Coupled Device）センサー（光検出部）２２ｂ等を搭載しており、ＡＤＦ２１によって順次給紙される原稿、或いは原稿台２３にセットされた原稿等を読み取る。
【００２１】
具体的に、原稿台２３にセットされた原稿を読み取る場合には、キャリッジ２２は、原稿台２３の長手方向に移動しながらＣＣＤセンサー２２ｂにより原稿を読み取る。これに対し、ＡＤＦ２１から給紙される原稿を読み取る場合には、キャリッジ２２は、原稿読取スリット２４に対向する位置（原稿読取スリット２４の下方の位置）において、ＡＤＦ２１から順次給紙される原稿を、原稿読取スリット２４を介してＣＣＤセンサー２２ｂにより読み取る。
【００２２】
本実施形態のＣＣＤセンサー２２ｂは、原稿台２３に入射する外部入射光を非検出とする光学フィルター２２ｃを有している。本実施形態の光学フィルター２２ｃは、例えばバンドパスフィルターから構成され、ＣＣＤセンサー２２ｂに入る光のうち、外部入射光成分の波長を透過させないようにすることで、外乱を排除するようになっている。
具体的に、光学フィルター２２ｃは、蛍光灯成分の波長（例えば三波長型蛍光灯であれば４９０ｎｍ、５４０ｎｍ、６１０ｎｍにピーク）をカットするように設定されている。これにより、ＣＣＤセンサー２２ｂは、端末装置の表示画面の光（例えば液晶バックライトの白色ＬＥＤ（Light Emitting Diode）であれば４７０ｎｍ、５８０ｎｍにピーク）を外乱の影響なく検出することができるようになる。
【００２３】
ＧＵＩ３０は、ユーザーによる操作に応じた信号（操作信号）を制御部５０に出力すると共に、制御部５０による制御に応じて複合機１の状態を示す情報等の各種情報を表示するものであり、操作キー３１及び操作表示部３２を備えている。操作キー３１は、コピースタートキー、コピーストップ／クリアキー、テンキー（数値入力キー）及び機能切替キー等のハードキーである。なお、機能切替キーとは、複合機１で実現されるコピー機能、プリント機能、スキャン機能及びファクシミリ機能の各々をユーザーが使用する場合に、各機能の動作モードへ複合機１を切り替える為のキーである。
【００２４】
操作表示部３２は、制御部５０による制御の下、所定の画像を表示する表示部３２ａと、この表示部３２ａの表示画面上で為された操作に応じた操作信号を制御部５０に出力する操作部３２ｂとを備えている。なお、表示部３２ａは、例えば液晶パネル或いは有機ＥＬパネルである。また、操作部３２ｂは、例えば表示部３２ａの表示画面に対向配置されたタッチパネルであり、上記操作信号としてユーザーに押下された部位の座標を示す信号を出力する。
【００２５】
通信部４０は、相手先ファクシミリやパーソナルコンピューター等の外部機器との通信を行うものであり、ファクシミリ通信部４１及びネットワークＩ／Ｆ部４２を備える。ファクシミリ通信部４１は、公衆電話回線に接続されて相手先ファクシミリとの間で通信を行う。ネットワークＩ／Ｆ部４２は、例えばＬＡＮ（Local Area Network）に接続されて、同じくＬＡＮに接続されたパーソナルコンピューター等の端末装置との間で通信を行う。
【００２６】
制御部５０は、ＧＵＩ３０から入力された操作信号、及び通信部４０を介して外部機器から受信した信号に基づいて、複合機１の全体動作を統括制御する。制御部５０は、内部メモリ、ＣＰＵ（Central Processing Unit）、及び他の各部とのデータ授受を行う各種入出力インターフェース回線等から構成される。
【００２７】
制御部５０は、スキャナー部２０の読み取りモードを、原稿台２３に載置された通常の対象物（原稿等）を読み取る通常原稿スキャンモード（第１モード）と、原稿台２３に載置された自発光する対象物（携帯電話、スマートフォン、タブレット装置等）の表示画面（液晶画面、有機ＥＬ画面等）を読み取る表示画面スキャンモード（第２モード）と、に切り替えることができるようになっている。下表１に、通常原稿スキャンモードの読み取り条件と、表示画面スキャンモードの読み取り条件の初期設定の一例を示す。
【００２８】
【表１】
2014116915.tif 000003
【００２９】
表１に示すように、表示画面スキャンモードでは、通常原稿スキャンモードのように規格により定められた定型サイズではなく、端末装置の種類（携帯電話、スマートフォン、タブレット装置）毎に読み取る原稿サイズが予め設定されている。また、表示画面スキャンモードでは、通常原稿スキャンモードよりも、露光ランプ２２ａの照明条件が明るく設定されており（バックライト有りの場合）、また、バックライトの無しの場合には照明条件がバックライト有りよりもさらに明るく設定されている。また、表示画面スキャンモードでは、通常原稿スキャンモードよりも、ＣＣＤセンサー２２ｂの読み取り解像度（ＤＰＩ（Dots Per Inch））条件が感度よく設定されている。
【００３０】
記憶部５１は、磁気ディスクやフラッシュメモリ等の記憶媒体を備えている。記憶部５１は、表示画面スキャンモードの読み取り条件を含む複数の読み取り条件を記憶している。複数の読み取り条件は、例えば上述した通常原稿スキャンモードの読み取り条件と、上述した表示画面スキャンモードの読み取り条件とを含み、端末装置の種類（携帯電話、スマートフォン、タブレット装置）毎に設定されている。
また、詳細は後述するが、本実施形態の制御部５０は、ＣＣＤセンサー２２ｂによる光検出結果に基づいて、スキャナー部２０の読み取り感度を調整するようになっている。
【００３１】
次に、上記のように構成された複合機１の動作について説明する。
図３は、本発明の実施形態における複合機１の動作（特にスキャナー部２０における各種処理のシーケンス）を示すフローチャートである。
制御部５０は、待機中、図４に示すように、表示部３２ａに表示画面スキャンモードを選択可能な待機画面を表示させる（ステップＳ１）。
【００３２】
図４は、本発明の実施形態における待機画面を示す図である。
制御部５０は、図４（ａ）に示すように、表示部３２ａに、デフォルトで表示された「用紙選択」等のボタンの他に、「機能一覧」のボタン１００を表示させる。制御部５０は、「機能一覧」のボタン１００が押下された場合、図４（ｂ）に示すように、表示部３２ａに、「表示画面スキャンモード」を選択可能なボタン１００ａを表示させる。
【００３３】
図５は、本発明の実施形態における原稿台２３に読み取り対象物として端末装置Ｓを載置した状態を示す図である。
図５に示すように、ユーザーは、ＡＤＦ２１が一体的に設けられた原稿押さえカバー２１ａを開けて、通常の原稿と同じように、対象物（端末装置Ｓ）を原稿台２３の奥隅の角に合わせてセットする（ステップＳ２）。ここで、対象物が、端末装置Ｓのように厚みがあるものである場合は、原稿押さえカバー２１ａが半開きとなり、原稿台２３には外乱光が入射することとなる。
【００３４】
制御部５０は、表示画面スキャンモードが選択されたか否かを判定する（ステップＳ３）。
ステップＳ３の判定で「ＹＥＳ」の場合、すなわち原稿台２３に載置された対象物が、端末装置Ｓ等の自発光する対象物であって「表示画面スキャンモード」のボタン１００ａが押下された場合は、ステップＳ４に移行する。一方、ステップＳ３の判定で「ＮＯ」の場合、すなわち原稿台２３に載置された対象物が、端末装置Ｓ等の自発光する対象物でなく、通常の原稿である場合は、ステップＳ２０に移行する。
【００３５】
ステップＳ２０に移行した場合、制御部５０は、スキャナー部２０の読み取りモードを上述した通常原稿スキャンモードに切り替える。そして、ユーザーのスタートキーの操作を待って（ステップＳ２１）、通常原稿スキャン（露光ランプ２２ａは点灯）を実行し（Ｓ２２）、スキャンシーケンスを終了する。
他方、ステップＳ４に移行した場合は、制御部５０は、スキャナー部２０の読み取りモードを上述した表示画面スキャンモード（初期値）に切り替える。次に、制御部５０は、表示画面スキャンモードにおける読み取り条件の詳細な設定選択画面を表示部３２ａに表示させる（ステップＳ５）。
【００３６】
図６は、本発明の実施形態における表示画面スキャンモードの読み取り条件の設定選択画面を示す図である。
制御部５０は、図６に示すように、表示部３２ａに、初期値に設定された表示画面スキャンモードの読み取り条件を個別に変更するためのボタン１０１ａ〜１０１ｃを表示させる。本実施形態では、ボタン１００ａが「原稿サイズの選択」であり、ボタン１００ｂが「露光の設定」であり、ボタン１０１ｃが「解像度の設定」のボタンとなっている。ユーザーは、必要に応じてボタン１０１ａ〜１０１ｃを操作し、読み取り条件を選択する（ステップＳ６）。
【００３７】
図７は、本発明の実施形態における表示画面スキャンモードの読み取り条件の原稿サイズの選択画面を示す図である。
制御部５０は、「原稿サイズの選択」のボタン１０１ａが押下された場合、図７に示すように、表示部３２ａに、「自動サイズ検知」のボタン１０２と、「サイズ入力」のボタン１０３と、予め記憶部５１に記憶された読み取り条件（原稿サイズ）である「携帯電話」のボタン１０４ａ、「スマートフォン」のボタン１０４ｂ、「タブレット」のボタン１０４ｃと、を表示させる。
【００３８】
「自動サイズ検知」のボタン１０２は、通常の原稿のサイズを自動検知する要領で、端末装置Ｓ等の自発光する対象物の原稿サイズを検知するものである。「サイズ入力」のボタン１０３は、例えば端末装置Ｓが新製品や非定型製品等である場合に、ユーザーが手動により原稿のサイズを入力するものである。ボタン１０４ａ〜１０４ｃは、予め記憶しておいた読み取り条件であって、原稿台２３に載置した自発光する対象物が「携帯電話」、「スマートフォン」、「タブレット装置」のいずれかである場合、ユーザーが対応するボタン押下することで、対応した読み取り条件に容易に設定できるようにするものである。
【００３９】
本実施形態では、「携帯電話」、「スマートフォン」、「タブレット装置」のボタン１０４ａ〜１０４ｃを選択した場合、対応する適切な「原稿サイズ」と共に、「露光の設定」及び「解像度の設定」において、予め記憶された実験等に基づく適切な値が設定されるようになっている。これにより、ユーザーが読み取り対象物の種類（本実施形態では、携帯端末、スマートフォン、タブレット装置）を選択するだけで、最適な読み取り条件に設定し、その対象物の表示画面の読み取りを行わせることができるようになる。なお、個別に設定を変更したい場合には、図６に示す画面に戻って、「露光の設定」や「解像度の設定」を行うことができる。
【００４０】
次に、制御部５０は、ユーザーのスタートキーの操作を待って（ステップＳ７）、光検出スキャンを実行させる（ステップＳ８）。
光検出スキャンは、原稿台２３に載置された対象物からの光を検出するものである。本実施形態では、キャリッジ２２が原稿台２３の長手方向に移動しながらＣＣＤセンサー２２ｂによって、原稿台２３に載置された対象物からの光の有無を検出する。
【００４１】
この光検出スキャンは、原稿台２３に載置された対象物が自発光するものであるか否かを判断するものであって、通常の原稿スキャンとは異なり、対象物を照明する露光ランプ２２ａは光検出の妨げとなる。したがって、制御部５０は、ＣＣＤセンサー２２ｂが光検出スキャンを行うときは、露光ランプ２２ａを消灯させる。これにより、ＣＣＤセンサー２２ｂは、対象物が発する微小な光（液晶画面のバックライト等）を検出できるようになり、ステップＳ８における光検出精度を向上させることができる。
【００４２】
また、本実施形態では、ＣＣＤセンサー２２ｂが原稿台２３に入射する外部入射光を非検出とする光学フィルター２２ｃを有している。図５に示すように、対象物が厚みのある端末装置Ｓであって原稿押さえカバー２１ａを閉めることができない場合に、原稿台２３に入射してくる外部入射光（例えば蛍光灯成分の波長）を光学フィルター２２ｃで透過させないようにして排除することで、ＣＣＤセンサー２２ｂは原稿台２３に載置された対象物からの光のみを検出できるようになり、ステップＳ２における光検出精度をさらに向上させることができる。
【００４３】
次に、制御部５０は、光検出スキャンの結果、ＣＣＤセンサー２２ｂが対象物の光を検出したか否かを判定する（ステップＳ９）。
ステップＳ９の判定で「ＹＥＳ」の場合、すなわち原稿台２３に載置された対象物が点灯している場合は、ステップＳ４に移行する。一方、ステップＳ９の判定で「ＮＯ」の場合、すなわち原稿台２３に載置された対象物が消灯している場合は、ステップＳ３０に移行する。
【００４４】
ステップＳ３０に移行した場合、制御部５０は、照明条件を設定よりもさらに明るく調整する。具体的に、制御部５０は、表１に示す「バックライト有り」から「バックライト無し」の照明条件にし、照明不足分を補うよう露光ランプ２２ａの明るさを調整して、読み取り感度を調整する。他方、ＣＣＤセンサー２２ｂが原稿台２３に載置された対象物の光を検出したときは、その対象物が自発光する端末装置Ｓであると判断し、対象物の読み取り感度を「バックライト有り」に調整する。したがって、例えば端末装置Ｓがスキャン直前に省電力モードに移行して表示画面が消灯した場合であっても、読み取り感度を自動的に調整し、端末装置Ｓの表示画面に表示された図形等を適切に読み取ることができる。
【００４５】
次に、制御部５０は、表示画面スキャンを実行させる（ステップＳ１０）。本実施形態では、原稿台２３に載置された対象物を照明する露光ランプ２２ａを有しており、表１に示すように、表示画面スキャンモードの露光ランプ２２ａの照明条件は、バックライトの有無によって自動的に調整される。これは、図８に示すように、バックライト無しの端末装置Ｓの表示画面を適切にスキャンするには、バックライト有りのときよりも露光ランプ２２ａの光を多く必要とするからである。
【００４６】
図８は、本発明の実施形態における表示画面スキャンモードでバックライト無しの端末装置Ｓの液晶画面を「バックライト有り」の照明条件で読み取った画像と、「バックライト無し」の照明条件で読み取った画像を示すイメージ図である。
図８（ａ）に示すように、「バックライト有り」の照明条件で液晶画面を読み取った場合には、真っ暗になって画面の識別ができないことが分かる。一方、図８（ｂ）に示すように、「バックライト無し」の照明条件に切り換えて露光ランプ２２ａを明るめ（表１参照）に設定した場合には、画面の識別ができていることが分かる。
【００４７】
このように、表示画面スキャンモードの読み取りの際には、光検出の有無に応じて露光ランプ２２ａの照明条件を調整することで、適切に表示画面を読み取ることができるようになることが実験的に分かる。
なお、次の表示画面スキャンを行う場合には、ステップＳ６に戻り、必要に応じて読み取り条件を選択させる（ステップＳ１１）。一方、次の表示画面スキャンを行わない場合には、表示画面スキャンモードのスキャンシーケンスを終了する。
【００４８】
このように、上述した実施形態によれば、原稿台２３に載置された対象物からの光を検出するＣＣＤセンサー２２ｂと、ＣＣＤセンサー２２ｂの検出結果に基づいて、対象物の読み取り感度を調整する制御部５０と、を有する、という構成を採用することによって、原稿台２３に載置された対象物から光を検出したか否かによって、対象物の照明条件を調整することにより、読み取り感度を自動的に調整することで、端末装置Ｓの表示画面を適切に読み取ることができる。したがって、端末装置Ｓの表示画面を適切に読み取ることができるスキャナー部２０及び複合機１が得られる。
【００４９】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００５０】
例えば、上記実施形態では、原稿を読み取るＣＣＤセンサーを光検出部として兼用した形態について説明したが、本発明はこれに限定されず、光検出部として別途専用の光検出センサーを設けることもできる。
【００５１】
また、例えば、上記実施形態では、光検出部の検出結果に基づいて、光源の明るさを「バックライト有り」と「バックライト無し」のいずれかに調整して、対象物の読み取り感度を調整すると説明したが、本発明はこれに限定されず、光検出部の出力値（対象物からの光の強さ（照度等）、具体的には光電変換の電圧値）に応じて、離散的でなく連続的に光源の明るさを調整してもよい。
また、例えば、光源の明るさを調整するのみならず、読み取り解像度（ＤＰＩ）を調整して、対象物の読み取り感度を直接的に調整してもよい。
【００５２】
また、例えば、上記実施形態では、通常原稿スキャンモードの読み取り条件と、表示画面スキャンモードの読み取り条件の初期設定の一例として、表１に示すように、「原稿サイズ」と、「露光」と、「解像度」とを例示したが、本発明はこれに限定されず、複合機がカラーコピー対応のものであれば、さらに「カラーモード」を設定してもよい。例えば、通常原稿スキャンモードでは「モノクロ」に設定され、表示画面スキャンモードでは「カラー」あるいは「グレースケール」を選択できるように設定されていてもよい。
【００５３】
また、例えば、上記実施形態では、次の表示画面スキャンを行う場合には必要に応じて読み取り条件を選択させる（ステップＳ１１→ステップＳ６）と説明したが、このとき、読み取った画像を、例えば図６に示す画面にプレビュー表示させ、それと共に画像調整ボタンを表示し、適宜画像調整できるようにしてもよい。
【００５４】
また、例えば、上記実施形態では、本発明に係る画像形成装置として複合機を参照しながら説明したが、本発明はこれに限定されず、コピー機などの他の画像形成装置に適用することができる。また、本発明は、画像形成装置と分離したスキャナー装置単体に適用することができる。この場合には、制御部等の構成要件はスキャナー装置に設けられる。
【符号の説明】
【００５５】
１…複合機（画像形成装置）、２０…スキャナー部（スキャナー装置）、２２ａ…露光ランプ（光源）、２２ｂ…ＣＣＤセンサー（光検出部）、２２ｃ…光学フィルター、２３…原稿台、３２ａ…表示部、３２ｂ…操作部、５０…制御部、５１…記憶部、１００ａ…ボタン
【図１】
2014116915.tif 000004
【図２】
2014116915.tif 000005
【図３】
2014116915.tif 000006
【図４】
2014116915.tif 000007
【図５】
2014116915.tif 000008
【図６】
2014116915.tif 000009
【図７】
2014116915.tif 000010
【図８】
2014116915.tif 000011